(57)【要約】【課題】ボタン付けミシンにおいてすくい縫いによるボタン付けを良好に行うことができる布保持具を実現する。【解決手段】すくい縫いによるボタン付けを行うボタン付けミシン１に用いられ、先端部で二つ折り布地Ｗ又は二枚重ね布地を保持し、当該保持された二つ折り布地又は二枚重ね布地の先端部分を、縫製時に縫い針５の上下動の通過線上に近接させて配置する布保持具８０である。この布保持具は、先端部に設けられ、二つ折り布地又は二枚重ね布地を構成する布地のうちの一枚のみをボタン取付け位置Ａで山折りした折曲げ部ＷＡを挟持する布挟持部８０１と、布挟持部の両側に設けられ、先端方向に突出した布引っ掛け角部８０２とを備える。【選択図】図２
2006314584.tif 000002
【特許請求の範囲】
【請求項１】
すくい縫いによるボタン付けを行うボタン付けミシンに用いられ、
先端部で二つ折り布地又は二枚重ね布地を保持し、当該保持された二つ折り布地又は二枚重ね布地の先端部分を、縫製時に縫い針の上下動の通過線上に近接させて配置する布保持具において、
前記先端部に設けられ、二つ折り布地又は二枚重ね布地を構成する布地のうちの一枚のみをボタン取付け位置で山折りした折曲げ部を挟持する布挟持部と、
前記布挟持部の両側に設けられ、先端方向に突出した布引っ掛け角部と、
を備えることを特徴とする布保持具。
【請求項２】
前記布引っ掛け角部が、さらに縫い針の上下動方向における略上方向に立ち上がった形状となっていることを特徴とする請求項１に記載の布保持具。
【請求項３】
前記布引っ掛け角部が、さらに外側に向かって突出していることを特徴とする請求項１又は２に記載の布保持具。
【発明の詳細な説明】
【技術分野】
【０００１】
本発明は、布保持具に係り、特にすくい縫いによるボタン付けを行うボタン付けミシンに備えられる布保持具に関する。
【背景技術】
【０００２】
従来、すくい縫いによりボタン付けを行うボタン付けミシンが知られている。このようなボタン付けミシンには、図６に示すような布保持具（タング）１８０が備えられており、折り返した布地の折り返し部分にこの布保持具１８０を挿入した状態で、当該折り返し部分にボタンを縫い付けるようになっている。
【０００３】
また、前記ボタン付けミシンで二つ折り布地や二枚重ね布地のボタン付けを行う場合があるが、二つ折り布地や二枚重ね布地のボタン付けに当たり、一枚目の布地のみにボタンを縫い付け、二枚目の布地には縫目を出さないようにしたい場合がある。
そのような場合には、従来、図７に示すように、二つ折り布地Ｗ（又は二枚重ね布地）を二枚重ねたまま折り返し、この折り返し部分ＷＢに布保持具１８０を挿入した状態で、図８（ａ）に示すように、縫い針５ａが折り返し部分ＷＢの外側の布地のみを通過するように布地と縫い針の位置を調整して、折り返し部分ＷＢにボタンを縫い付けていた。
【０００４】
しかし、前記した布保持具１８０は、縫製時に針が振れてしまうことで、縫い針の針落ち位置が変わってしまうこともあった。このような理由によって、本来、折り返した外側の布地だけに縫い針を通過させて一枚目の布地のみにボタンを縫い付けたい場合に、図８（ｂ）に示すように二枚共に縫い針５ｂを通してボタンを縫い付けてしまい縫い目が二枚目の布地にも出てしまったり、逆に図８（ｃ）に示すように縫い針５ｃが布地に全く刺さらない位置を通過してボタンが縫い付けられなかったりする問題が発生していた。
【０００５】
また、従来、すくい縫いによるボタン付けを行うボタン付けミシンに備えられる布保持具としては、特許文献１に記載されたようなものもある。当該特許文献１に記載されたボタン付けミシンに備えられた布保持具は、上下の挟持板からなる布挟持部で布を挟持する構成となっており、この上下の挟持板の間に二つ折り布地を挿入して挟持することで、前記した布保持具に比べて布地の保持力が強くなり、布地の位置がずれ難くなっている。
【特許文献１】実開平５−９１５７０号公報
【発明の開示】
【発明が解決しようとする課題】
【０００６】
しかしながら、前記特許文献１に記載された布保持具であっても、二つ折り布地を挟持する際に、布地を挟持部の一番奥まで挿入して挟持することで布地の保持を行うところ、一番奥まで挿入しないまま挟持して布地の保持を行ってしまうと、前記したような縫い針が布地に刺さらないという不具合が生じる。
【０００７】
また、厚さが薄かったり腰が弱かったりする布地の場合には、挟持部の奥まで布地を押し込む際に、力が強すぎて布地の先端にシワがよってしまい、ボタン付けの際にシワごと縫い込んでしまう不具合が生じる可能性があり、この点についても前記した特許文献１に記載された布保持具では、問題を解消するには到っていない。
【０００８】
本発明の目的は、ボタン付けミシンにおいてすくい縫いによるボタン付けを良好に行うことができる布保持具を提供することである。
【課題を解決するための手段】
【０００９】
以上の課題を解決するため、請求項１に記載の発明は、すくい縫いによるボタン付けを行うボタン付けミシンに用いられ、
先端部で二つ折り布地又は二枚重ね布地を保持し、当該保持された二つ折り布地又は二枚重ね布地の先端部分を、縫製時に縫い針の上下動の通過線上に近接させて配置する布保持具において、
前記先端部に設けられ、二つ折り布地又は二枚重ね布地を構成する布地のうちの一枚のみをボタン取付け位置で山折りした折曲げ部を挟持する布挟持部と、
前記布挟持部の両側に設けられ、先端方向に突出した布引っ掛け角部と、
を備えることを特徴としている。
【００１０】
このように請求項１に記載の発明によれば、ボタン付けミシンで二つ折り布地又は二枚重ね布地にすくい縫いによるボタン付けを行う際に、布保持具における布挟持部の両側に設けられた布引っ掛け角部に布地を引っ掛けるように配置することで、布地が布引っ掛け角部で折り返されて布挟持部の奥側に引っ張られるので、布地を簡単かつ確実に布挟持部の奥側、すなわち適切な保持位置まで挿入した上で挟持して保持することができる。これにより、縫製時に布地のボタン取付け位置を、縫い針の上下動の通過線上に確実に配置させることができる。
また、二つ折り布地又は二枚重ね布地を布挟持部で挟持する際に、当該二つ折り布地又は二枚重ね布地を構成する布地のうちの一枚のみをボタン取付け位置で山折りした折曲げ部を挟持するようにしているため、二つ折り布地又は二枚重ね布地を構成する布地のうちの一枚のみにボタンを縫い付けたい場合に、縫い針が振れる等によりすくい縫いを行う布地の位置がずれてしまっても、二枚目の布地を縫い付けてしまうことがない。これにより、確実に一枚の布地のみにボタンを縫い付けることができる。
【００１１】
請求項２に記載の発明は、請求項１に記載の布保持具において、
前記布引っ掛け角部が、さらに縫い針の上下動方向における略上方向に立ち上がった形状となっていることを特徴としている。
【００１２】
このように請求項２に記載の発明によれば、布引っ掛け角部が、さらに縫い針の上下動方向における略上方向に立ち上がった形状となっているため、より布地を布引っ掛け角部に引っ掛け易くなり、さらに確実に布地を挟持部の奥側、すなわち適切な保持位置まで挿入した上で挟持して保持することができる。
【００１３】
請求項３記載の発明は、請求項１又は２に記載の布保持具において、
前記布引っ掛け角部が、さらに外側に向かって突出していることを特徴としている。
【００１４】
このように請求項３に記載の発明によれば、布引っ掛け角部が、さらに外側に向かって突出しているため、布引っ掛け角部で布地を外側に向かって引っ張りながら布地を挟持部の奥側、すなわち適切な保持位置まで挿入して挟持することができ、布地を挟持部に挿入し易くすることができる。
【発明の効果】
【００１５】
本発明によれば、ボタン付けミシンにおいてすくい縫いによるボタン付けを良好に行うことができる。
【発明を実施するための最良の形態】
【００１６】
以下、図面に基づいて本発明の実施の形態を詳細に説明する。
ボタン付けミシン１は、上下動する縫い針とルーパの協働により自動的に布地にボタンを縫い付けるものである。ルーパ及び縫い針の動作などによる縫い目の形成については周知の技術であるので、詳細な技術は省略する。
【００１７】
ボタン付けミシン１は、図１に示すように、ルーパ（図示省略）を先端部に内蔵するベッド部２と、ベッド部２の後端部から立設する縦胴部３と、縦胴部３の上部からベッド部２と平行になるように延出するアーム部４と、ボタン付けミシン１全体を制御する制御装置９とを備えている。以下の説明では、ボタン付けミシン１の前後方向、上下方向は図１で示す通りであり、それぞれＹ軸方向、Ｚ軸方向とする。また図１の紙面に垂直な方向を左右方向（Ｘ軸方向）としている。
また、ボタン付けミシン１は、ボタンＢや布地Ｗなどを独立に自在に搬送することによって、多様なボタン付け縫いが可能となっている。以下では、ボタン等を搬送する各種機構について詳細に説明する。
【００１８】
アーム部４の先端部には、縫い針５を有する針棒６が、下方に向けて延出するように設けられている。また、アーム部４の内部には、針棒６を上下動させることで縫い針５を上下動させる針棒上下機構１１と、針棒６を左右に揺動させて縫い針５を左右に振る針棒揺動機構１５とが設けられている。従って、針棒６は、上下動を行いながらその下端部の縫い針５をＸ軸方向（左右方向）に沿って揺動させることが可能となっている。
【００１９】
針棒上下機構１１は、図１に示すように、針棒６を上下動させるための針棒上下モータ１２を有しており、この針棒上下モータ１２が図示しないクランク機構を介して針棒６に連結されている。針棒上下モータ１２には、回転角度や駆動速度等の駆動状態を検出するエンコーダ１３が設けられており、これら針棒上下モータ１２及びエンコーダ１３は制御装置９に電気的に接続されている。つまり、制御装置９は、エンコーダ１３から入力された駆動状態を基に針棒上下モータ１２を制御するようになっている。
【００２０】
針棒揺動機構１５は、針棒揺動モータ１６を有しており、この針棒揺動モータ１６が駆動することによって、Ｙ軸方向（前後方向）を中心として揺動可能な針棒支持材（図示省略）を左右に揺動させて針棒６を左右に揺動させるようになっている。針棒揺動モータ１６は、図１に示すように制御装置９に電気的に接続されており、制御装置９の制御に基づいて、針棒上下モータ１２に連動して駆動するようになっている。
【００２１】
また、ボタン付けミシン１には、縫い針５の移動経路上で所定の状態となるようにボタンを調整するボタン調整機構２０が設けられている。
ボタン調整機構２０は、アーム部４の中間下部において垂下支持されると共にその先端部が縫い針５の上下動経路近傍まで延設されたボタン保持アーム２１を備えている。このボタン保持アーム２１は、前後移動用モータ２２によりアーム部４に対してＹ軸方向（前後方向）に沿って移動し、上下移動用モータ２３によりアーム部４に対してＺ軸方向（上下方向）に沿って移動するようになっている。
【００２２】
また、ボタン保持アーム２１の先端部には、ボタンＢを水平状態及び垂直状態に切り換え自在に保持するボタン保持機構（図示省略）を備えており、当該ボタン保持機構は、保持されたボタンＢを水平状態及び垂直状態に切り換えるためのボタン回転シリンダ２５を備えている。ボタンＢが水平状態の時には、すくい縫いやベタ縫いが行われ、起立状態の時には根巻き縫製が行われるようになっている。また、ボタン保持機構には、ボタン保持アーム２１に対してボタンＢをＸ軸方向（左右方向）に沿って移動させて位置決めを行う左右移動用リニアモータ２４を備えている。この左右移動用リニアモータ２４の制御により、ボタンＢをＸ軸方向の任意の位置に位置決めすることが可能となっている。
【００２３】
なお、ボタン調整機構２０に備わる各駆動源（前後移動用モータ２２、上下移動用モータ２３、左右移動用リニアモータ２４、ボタン回転シリンダ２５）は、図１に示すように制御装置９に電気的に接続されており、この制御装置９によって制御されるようになっている。
【００２４】
ベッド部２は、その上面が、すくい縫いではない通常のボタン縫着縫製（いわゆるベタ縫い）を行う場合において、被縫製物たる布地Ｗを広げて載置する載置台となっている。
また、ベッド部２には、その先端部で布地Ｗを保持すると共に、送りモータ７１を駆動源として布地ＷをＹ軸方向（前後方向）に送る布地保持機構７０が設けられている。
【００２５】
一方、ベッド部２の下部には、前後に延在するシリンダベース７２の後端部が固定されている。シリンダベース７２の前端部には、円弧状に形成されたタング支持部７３が、Ｘ軸方向（左右方向）の軸回りに回転自在に取り付けられている。タング支持部７３の先端部には、すくい縫い又は根巻き縫いの際に布地Ｗを保持するための布保持具としてのタング８０が固定されている。
【００２６】
また、シリンダベース７２の中央部には、タング８０を駆動するためのタングシリンダ８１が、Ｘ軸方向（左右方向）の軸回りに回転自在に設置されている。
そして、ベッド部２の先端部には、タング８０ごと布地Ｗを挟持して保持する布地保持部（図示省略）が設けられている。布地保持部は２つのバネ挟持部を有しており、各バネ挟持部は、上下に対向する２つの板ばねから構成されている。
【００２７】
上記した布地保持機構７０では、タングシリンダ８１の動力によって、タング支持部７３とともにタング８０が起伏するようになっている。更に、送りモータ７１の動力で、布地Ｗとともにタング８０が一体となって前後方向（つまり、布送り方向）に移動するようになっている。なお、送りモータ７１、タングシリンダ８１は、図１に示すように、制御装置９に電気的に接続されており、この制御装置９によって制御されるようになっている。
【００２８】
このタング８０は、その先端部が後方を向いた状態でベッド部２の前側先端部に装備されており、タング８０の先端部には布地Ｗが折り返された状態で装着されるように形成されている。かかるタング８０の先端部は、その基端部の回動により縫い針５の上下動経路に接離可能となっており、縫い針５の上下方向通過線上に接近したり、離間したりすることができるようになっている。また、タング８０の先端部に布地Ｗが折り返された状態で縫い針５の上下動経路側に回動された際に、折り返された布地Ｗの先端が縫い針５の上下動経路と一致するように、図示しない当接部材によりその回動量が規制されており、作業者が布地Ｗを保持してタング８０を縫い針５側に回動すると、布地Ｗの先端の位置決めが自動的に行われるようになっている。
【００２９】
また、タング８０の回動はタングシリンダ８１を駆動源としており、タング８０の先端部を縫い針５の上下動経路に近づけると当該接近を検知するタングセンサが載置台に設けられており、当該タングセンサの出力によりタング８０の先端部が縫い針５の上下動経路に最接近した状態となる使用位置にタングシリンダ８１が引き寄せるようになっている。なお、使用位置までタング８０が移動すると、タング８０の先端部にセットされた布地Ｗをタング８０ごと挟み込んで保持する布地保持部としての板ばねが載置台の前方端部に設けられている。なお、タングシリンダ８１は、縫製が終了すれば自動的にＯＦＦになり、タング８０は前方に倒れて元の待機位置に戻る。
【００３０】
また、図２及び図３に示すように、タング８０の先端部には布地を挟持する２つの布挟持部８０１を備えており、各布挟持部８０１は、上下に対向する２つの板ばねから構成されている。この布挟持部８０１に布地を挿入して挟持させることで、簡単かつ確実に布地を保持することができる。
【００３１】
また、タング８０の２つの布挟持部８０１の両外側には、タング先端方向に突出した布引っ掛け角部８０２がそれぞれ設けられている。また、本実施形態の布引っ掛け角部８０２は、さらに縫い針の上下動方向における略上方向に立ち上がった形状となっており、加えて、外側に向かって突出している。双方の布引っ掛け角部８０２は、その先端部が布挟持部８０１の最深部（最も奥側）と同位置かそれよりも遠方（図１における後方）まで突出していることが望ましい。布引っ掛け角部８０２が以上のような形状であると、布地を布引っ掛け角部に引っ掛け易い。そして、この布引っ掛け角部８０２に布地を引っ掛けるように配置すると、図５に示すように、布地が布引っ掛け角部８０２で折り返されて外側及び布挟持部８０１の奥側に引っ張られるので、布地を簡単かつ確実に布挟持部８０１の奥側、すなわち適切な保持位置まで挿入した上で挟持して保持することができる。これにより、縫製時に布地のボタン取付け位置を、縫い針の上下動の通過線上に確実に配置させることができる。なお、上記タング８０の説明において方向を示す語句は全て、タング８０が使用位置（先端が縫い針の上下動経路に最近接状態）にある場合を前提とするものである。
【００３２】
なお、本実施形態では、布挟持部８０１と布引っ掛け角部８０２を１枚の板金を折り曲げることで形成している。また、２つの布挟持部８０１の間には、Ｕ字形の切り欠き８０３が形成されており、布地Ｗに対するすくい縫いによるボタン縫着を行う場合に、かかる切り欠き８０３がタング８０の先端部と縫い針５との干渉を回避させる構造となっている。
前述した載置台とタング８０とは、ベッド部２の後方本体によりＹ軸方向（前後方向）に移動可能に支持されており、送りモータ７１により移動位置決めすることが可能となっている。
【００３３】
また、本発明のタング８０に、すくい縫いによるボタン付けを行うために図４（ａ）に示すような二つ折り布地Ｗ（又は二枚重ね布地）を保持させるに当たり、図４（ｂ）に示すように、二つ折り布地Ｗ（又は二枚重ね布地）を構成する布地のうちの一枚のみをボタン取付け位置Ａで山折りした折曲げ部ＷＡを形成する。そして、図５に示すように、当該折曲げ部ＷＡを布挟持部８０１に挿入して挟持するようになっている。このようにすることで、二つ折り布地Ｗ（又は二枚重ね布地）を構成する布地のうちの一枚のみにボタンを縫い付けたい場合に、縫い針５が振れる等によりすくい縫いを行う布地の位置が多少ずれてしまっても、二枚目の布地を縫い付けてしまうことがない。これにより、確実に一枚の布地のみにボタンを縫い付けることができる。
【００３４】
次に、制御装置９について説明する。図１に示すように、制御装置９は、ＣＰＵ９１と、ＲＡＭ９２と、ＲＯＭ９３と、これらを接続するシステムバスとを有する演算処理装置を基本構成としている。制御装置９には、上記したように針棒上下モータ１２、エンコーダ１３、針棒揺動モータ１６、前後移動用モータ２２、上下移動用モータ２３、左右移動用リニアモータ２４、ボタン回転シリンダ２５、送りモータ７１、タングシリンダ８１が電気的に接続されるとともに、さらに、例えば液晶ディスプレイ等の画像を表示する表示装置９４、縫製における各種指示が入力される入力装置９５、縫製開始を指示するために用いられる操作ペダル９６が電気的に接続されている。なお、制御装置９には、これら以外にもボタン付けミシン１の各駆動部などが接続されている。
【００３５】
制御装置９は、入力装置９５及び操作ペダル９６からの各種指示に基づいて、ＲＯＭ９３中に書き込まれている制御プログラムや制御データに従い各種駆動部を制御するようになっている。
【００３６】
入力装置９５は、例えば、表示装置９４の表示面に設けられたタッチパネルであり、表示装置９４の表示面がタッチされたことを検知して、その旨をＣＰＵ９１に出力するものである。
【００３７】
以上の構成を有するボタン付けミシン１は、ボタンＢに関しては、左右移動用リニアモータ２４の駆動によりＸ軸方向への移動を行い、前後移動用モータ２２の駆動によりＹ軸方向への移動を行い、上下移動用モータ２３の駆動によりＺ軸方向を行うことができる。つまり、前後移動用モータ２２と左右移動用リニアモータ２４が協働することにより、ボタンＢを保持したボタン保持アーム２１を縫い針５の上下動経路に対し相対的に位置決めすることができる。
また、布地Ｗに関しては送りモータ７１の駆動によりＹ軸方向に移動させることができる。加えて、Ｘ軸方向に針棒６を揺動させる針棒揺動モータ１６の駆動により、縫い針５の針落ち位置をＸ軸方向について位置決めすることができる。つまり、上記針棒揺動モータ１６と送りモータ７１が協働することにより、布地Ｗを縫い針５の上下動経路に対して相対的に位置決めすることができる。
即ち、上記針棒揺動モータ１６、前後移動用モータ２２、左右移動用リニアモータ２４及び送りモータ７１が協働することで、ボタン保持アーム２１に保持されたボタンＢ及びタング８０に保持された布地Ｗに対して縫い針５の針落ち位置を相対的に位置決めするようになっている。また、送りモータ７１は、タング８０を縫い針５から退避させる移動手段としても機能する。
【００３８】
次に、本実施形態の布保持具（タング）８０を備えたボタン付けミシン１によるすくい縫いについて詳細に説明する。
【００３９】
まず、図４（ａ）に示すような二つ折り布地Ｗを構成する布地のうちの一枚のみをボタン取付け位置Ａで山折りし、図４（ｂ）に示すような折曲げ部ＷＡを形成する。
次に、図５に示すように、作業者が布保持具８０の２つの布引っ掛け角部８０２に布地Ｗを引っ掛けるように配置する。それから、布地Ｗを２つの布挟持部８０１の奥側まで挿入し、挟持させる。  その後、タング８０ごと布地Ｗを布地保持機構７０の布保持部（図示省略）のバネ挟持部に保持させる。
【００４０】
布地Ｗが布地保持部にセットされたら、ボタン保持機構に保持されたボタンＢは、ボタン調整機構（前後移動用モータ２２、左右移動用リニアモータ２４）１０によって所定位置に移動されるとともに、布地Ｗも布地保持機構（送りモータ７１）７０によって所定位置に移動される。つまり、布地保持機構７０は、切り欠き８０３を縫い針５の直下に位置するように布地Ｗを移動させるとともに、ボタン調整機構１０は縫い針５の直下（上下動の通過線上）に位置するようにボタンＢを移動させる。これにより、すくい縫いの準備が完了する。
【００４１】
次いで、針棒揺動機構１５が縫い針５をボタン孔の直上に位置させる。そして、針棒上下モータ１２が針棒６とともに縫い針５を上下に往復移動させつつ、ボタンＢと布地Ｗの相対的な位置関係を保つようにして布地保持機構７０が布地Ｗを前後に往復移動させるとともに、前後移動モータ２２がボタンＢを前後に往復移動させる。これにより、縫い針５が２つのボタン孔交互に針落ちして、すくい縫いが行われる。
すくい縫いが終了したら、糸切断機構が上糸を一度切断して、ボタンＢを起立させ、これ以降根巻き縫いが施される。根巻き縫いについての詳細な説明は省略する。
【００４２】
以上のように、本実施形態の布保持具によれば、ボタン付けミシンで二つ折り布地又は二枚重ね布地にすくい縫いによるボタン付けを行う際に、布保持具における布挟持部の両側に設けられた布引っ掛け角部に布地を引っ掛けるように配置することで、布地が布引っ掛け角部で折り返されて布挟持部の奥側に引っ張られるので、布地を簡単かつ確実に布挟持部の奥側、すなわち適切な保持位置まで挿入した上で挟持して保持することができる。これにより、縫製時に布地のボタン取付け位置を、縫い針の上下動の通過線上に確実に配置させることができる。
また、二つ折り布地又は二枚重ね布地を布挟持部で挟持する際に、当該二つ折り布地又は二枚重ね布地を構成する布地のうちの一枚のみをボタン取付け位置で山折りした折曲げ部を挟持するようにしているため、二つ折り布地又は二枚重ね布地を構成する布地のうちの一枚のみにボタンを縫い付けたい場合に、縫い針が振れる等によりすくい縫いを行う布地の位置がずれてしまっても、二枚目の布地を縫い付けてしまうことがない。これにより、確実に一枚の布地のみにボタンを縫い付けることができる。
【００４３】
また、本実施形態では、布引っ掛け角部が、さらに縫い針の上下動方向における略上方向に立ち上がった形状となっているため、より布地を布引っ掛け角部に引っ掛け易くなり、さらに確実に布地を挟持部の奥側、すなわち適切な保持位置まで挿入した上で挟持して保持することができる。
【００４４】
さらに、本実施形態では、布引っ掛け角部が、さらに外側に向かって突出しているため、布引っ掛け角部で布地を外側に向かって引っ張りながら布地を挟持部の奥側、すなわち適切な保持位置まで挿入して挟持することができ、布地を挟持部に挿入し易くすることができる。
【００４５】
これらの結果、本実施形態の布保持具によれば、ボタン付けミシンにおいてすくい縫いによるボタン付けを良好に行うことができる。
【００４６】
なお、本発明は上記実施形態に限らず適宜変更可能であるのは勿論である。
【図面の簡単な説明】
【００４７】
【図１】本発明に係る布保持具を備えるボタン付けミシンの概略構成を表す説明図である。
【図２】本発明に係る布保持具を表す斜視図である。
【図３】図２の布保持具の一部を表す平面図である。
【図４】すくい縫い時に布保持具に挟持させる布地の様子を表す図である。
【図５】すくい縫い時において布保持具が布地を挟持した状態を表す斜視図である。
【図６】従来の布保持具を表す斜視図である。
【図７】図６の布保持具が布地を保持した状態を表す斜視図である。
【図８】図６の布保持具を用いてすくい縫いを行った際の縫い針の通過位置を表す説明図であり、（ａ）は縫い針の正常な通過位置を表す側面図であり、（ｂ）は縫い針が二枚目の布地まで縫い付けてしまう不具合を生じた場合を表す側面図であり、（ｃ）は縫い針が布地に全く刺さらない位置を通過してしまう不具合を生じた場合を表す側面図である。
【符号の説明】
【００４８】
１    ボタン付けミシン
２    ベッド部
４    アーム部
５    縫い針
６    針棒
９    制御装置
１１    針棒上下機構
１２    針棒上下モータ
１３    エンコーダ
１５    針棒揺動機構
１６    針棒揺動モータ
２０    ボタン調整機構
２１    ボタン保持アーム
２２    前後移動用モータ
２３    上下移動用モータ
２４    左右移動用リニアモータ
２５    ボタン回転シリンダ
７０    布地保持機構
７１    送りモータ
８０    タング（布保持具）
８１    タングシリンダ
８０１  布挟持部
８０２  布引っ掛け角部
８０３  切り欠き
Ｂ    ボタン
Ｗ    布地（二つ折り布地）
ＷＡ    折曲げ部
Ａ    ボタン取付け位置
【図１】
2006314584.tif 000003
【図２】
2006314584.tif 000004
【図３】
2006314584.tif 000005
【図４】
2006314584.tif 000006
【図５】
2006314584.tif 000007
【図６】
2006314584.tif 000008
【図７】
2006314584.tif 000009
【図８】
2006314584.tif 000010